(57)【特許請求の範囲】
【請求項１】
枠又は框を構成する樹脂材製の一方材と、一方材に対向する樹脂材製の他方材とを備え、一方材は他方材側の面に配置した遮炎材付き外側プレートと、これの隣に位置する中空部内に配置した遮炎材付き内側プレートと、補強材とを有し、遮炎材は火災時の熱を受けると膨張するものであり、外側プレートと内側プレートが連結手段で補強材に連結してあり、他方材は遮炎材の受け部を有することを特徴とする建具。
【請求項２】
枠又は框を構成するアルミ樹脂複合材製の一方材と、一方材に対向するアルミ樹脂複合材製又はアルミ材製の他方材とを備え、一方材は他方材側の面に配置した遮炎材付き外側プレートと、これの隣に位置する樹脂材製の中空部内に配置した遮炎材付き内側プレートとを有し、遮炎材は火災時の熱を受けると膨張するものであり、外側プレートと内側プレートが連結手段で一方材のアルミ材に連結してあり、他方材は遮炎材の受け部を有することを特徴とする建具。
【請求項３】
枠又は框を構成する樹脂材製の一方材と、一方材に対向する樹脂材製の他方材とを備え、一方材は他方材側の面又は他方材側の中空部内に配置した遮炎材付きプレートと、補強材とを有し、遮炎材は火災時の熱を受けると膨張するものであり、他方材は遮炎材の受け部を有し、遮炎材付きプレートは連結手段で補強材に連結してあると共に火災時の熱で樹脂材が溶融したときに遮炎材の受け部に対して傾き可能に連結手段に取り付けてあることを特徴とする建具。
【請求項４】
枠又は框を構成するアルミ樹脂複合材製の一方材と、一方材に対向するアルミ樹脂複合材製又はアルミ材製の他方材とを備え、一方材は他方材側の面又は他方材側の樹脂材製の中空部内に配置した遮炎材付きプレートを有し、遮炎材は火災時の熱を受けると膨張するものであり、他方材は遮炎材の受け部を有し、遮炎材付きプレートは、連結手段で一方材のアルミ材に連結してあると共に火災時の熱で樹脂材が溶融したときに遮炎材の受け部に対して傾き可能に取り付けてあることを特徴とする建具。
【発明の詳細な説明】
【技術分野】
【０００１】
本発明は、建具に関する。
【背景技術】
【０００２】
特許文献１には、樹脂材製の枠や框に補強材を設けた建具が開示されている。
【先行技術文献】
【特許文献】
【０００３】
【特許文献１】特開２０１０−２６５６４６号公報
【発明の概要】
【発明が解決しようとする課題】
【０００４】
しかし、火災時に、樹脂材が溶融することで隙間ができると、隙間から火炎や煙が通じて火災が広がるおそれがあった。
【０００５】
そこで、本発明は、火災時に樹脂材が溶融した隙間を塞ぐことができる建具の提供を目的とする。
【課題を解決するための手段】
【０００６】
請求項１に記載の発明は、枠又は框を構成する樹脂材製の一方材と、一方材に対向する樹脂材製の他方材とを備え、一方材は他方材側の面に配置した遮炎材付き外側プレートと、これの隣に位置する中空部内に配置した遮炎材付き内側プレートと、補強材とを有し、遮炎材は火災時の熱を受けると膨張するものであり、外側プレートと内側プレートが連結手段で補強材に連結してあり、他方材は遮炎材の受け部を有することを特徴とする建具である。
【０００７】
請求項２に記載の発明は、枠又は框を構成するアルミ樹脂複合材製の一方材と、一方材に対向するアルミ樹脂複合材製又はアルミ材製の他方材とを備え、一方材は他方材側の面に配置した遮炎材付き外側プレートと、これの隣に位置する樹脂材製の中空部内に配置した遮炎材付き内側プレートとを有し、遮炎材は火災時の熱を受けると膨張するものであり、外側プレートと内側プレートが連結手段で一方材のアルミ材に連結してあり、他方材は遮炎材の受け部を有することを特徴とする建具である。
【０００８】
請求項３に記載の発明は、枠又は框を構成する樹脂材製の一方材と、一方材に対向する樹脂材製の他方材とを備え、一方材は他方材側の面又は他方材側の中空部内に配置した遮炎材付きプレートと、補強材とを有し、遮炎材は火災時の熱を受けると膨張するものであり、他方材は遮炎材の受け部を有し、遮炎材付きプレートは連結手段で補強材に連結してあると共に火災時の熱で樹脂材が溶融したときに遮炎材の受け部に対して傾き可能に連結手段に取り付けてあることを特徴とする建具である。
【０００９】
請求項４に記載の発明は、枠又は框を構成するアルミ樹脂複合材製の一方材と、一方材に対向するアルミ樹脂複合材製又はアルミ材製の他方材とを備え、一方材は他方材側の面又は他方材側の樹脂材製の中空部内に配置した遮炎材付きプレートを有し、遮炎材は火災時の熱を受けると膨張するものであり、他方材は遮炎材の受け部を有し、遮炎材付きプレートは、連結手段で一方材のアルミ材に連結してあると共に火災時の熱で樹脂材が溶融したときに遮炎材の受け部に対して傾き可能に取り付けてあることを特徴とする建具である。
【発明の効果】
【００１０】
請求項１に記載の発明によれば、火災時に樹脂材が溶融して一方材と他方材との間に隙間ができた場合でも、補強材に連結された遮炎材付き外側プレートと遮炎材付き内側プレートが残り、他方材に設けた遮炎材の受け部と各プレートとの間で遮炎材が膨張して隙間を塞ぐことができる。
【００１１】
請求項２に記載の発明によれば、火災時に樹脂材が溶融して一方材と他方材との間に隙間ができた場合でも、アルミ材に連結された遮炎材付き外側プレートと遮炎材付き内側プレートが残り、他方材に設けた遮炎材の受け部と各プレートとの間で遮炎材が膨張して隙間を塞ぐことができる。
【００１２】
請求項３に記載の発明によれば、火災時に樹脂材が溶融して一方材と他方材との間に隙間ができた場合でも、補強材に連結された遮炎材付きプレートが残ると共に、遮炎材付きプレートが遮炎材の受け部に対して傾くことで、遮炎材付きプレートの一端側が遮炎材の受け部に近づいて遮炎材の受け部との間の隙間を小さくできるので、遮炎材が膨張したときに素早く遮炎材の受け部に当接して遮炎材の受け部とプレートとの間の隙間を塞ぐことができる。
【００１３】
請求項４に記載の発明によれば、火災時に樹脂材が溶融して一方材と他方材との間に隙間ができた場合でも、アルミ材に連結された遮炎材付きプレートが残ると共に、遮炎材付きプレートが遮炎材の受け部に対して傾くことで、遮炎材付きプレートの一端側が遮炎材の受け部に近づいて遮炎材の受け部との間の隙間を小さくできるので、遮炎材が膨張したときに素早く遮炎材の受け部に当接して遮炎材の受け部とプレートとの間の隙間を塞ぐことができる。
【図面の簡単な説明】
【００１４】
【図１】本発明の第１実施の形態にかかる建具の召合せ部分を抜き出して示す横断面図である。
【図２】本発明の第１実施の形態にかかる建具の横断面図である。
【図３】本発明の第１実施の形態にかかる建具の図２に示すＡ−Ａ縦断面図である。
【図４】火災時に樹脂材が溶融したときの遮炎材付き外側プレートと遮炎材付き内側プレートの状態を種々示す図である。
【図５】本発明の第１実施の形態にかかる建具を室内側から見た正面図である。
【図６】本発明の第２実施の形態にかかる建具の召合せ部分を抜き出して示す横断面図である。
【図７】本発明の第３実施の形態にかかる建具の召合せ部分を抜き出して示す横断面図である。
【発明を実施するための形態】
【００１５】
以下に、添付図面を参照して本発明の実施の形態を詳細に説明するが、まず、図１〜図５を参照して本発明の第１実施の形態について説明する。図５に示すように、第１実施の形態に係る建具１は、樹脂材製の引違いサッシであり、枠２内に内障子３ａと外障子３ｂが設けてある。
図２及び図３に示すように、内障子３ａには、樹脂材製の内障子召合せ框５ａ、戸先框７、上框９、及び下框１１が、網入りガラス製のパネル１３の四周に框組してあり、外障子３ｂは、樹脂材製の外障子召合せ框５ｂ、戸先框７、上框９、及び下框１１が、網入りガラス製のパネル１３の四周に組んである。枠２は、樹脂材製の上枠１０１、下枠１０３、左右の竪枠１０５が組んである。
【００１６】
図１に示すように、内障子召合せ框５ａは、樹脂材製の一方材１５と一方材１５の見込面から室外側に亘って設けた樹脂材製の一方のカバー材２１ａを備えており、外障子召合せ框５ｂは樹脂材製の他方材１７と他方材１７の見込面から室内側に亘って設けた他方のカバー材２１ｂを備えている。内障子召合せ框５ａにおいて、一方材１５には、その内部に本体中空部２３ａが形成してあり、室外側見付け面には一方材１５と一方のカバー材２１ａとの間にはカバー材中空部（中空部）２５ａが形成してある。一方材１５の本体中空部２３ａ内には、スチール製の一方の補強材２７ａが配置してある。
他方材１７には、本体中空部２３ｂが形成してあり、この本体中空部２３ｂには、他方の補強材２７ｂが設けてある。
一方材１５には、他方材１７側の面に配置した遮炎材付き外側プレート２９と、これの隣に位置するカバー材中空部２５ａ内に配置した遮炎材付き内側プレート３１とが長手方向に設けてある。外側プレート２９の他方材１７側の面には第１遮炎材９９ａが配置されており、内側プレート３１の他方材１７側の面には第２遮炎材９９ｂが配置されている。外側プレート２９と内側プレート３１とはスチール製であり、各プレート２９、３１は各々連結手段３３で一方の補強材２７ａに連結してある。連結手段３３はねじである。
外側プレート２９と内側プレート３１とは、連結手段３３の軸の頭が抜けない程度の径のばか孔が形成してあり、それぞれのばか孔に連結手段３３の軸が通してあり、連結手段３３に対してがたつきを持って取り付けてある（以下「遊嵌」という）。また、外側プレート２９は連結手段３３の頭で一方のカバー材２１ａに押えてある。
一方の補強材２７ａは、室内側を開口した断面略コ字形状をなし、コ字の対向する内面に第３遮炎材９９ｃが設けてあり、一方材１５との間に第４遮炎材９９ｄが設けてある。
他方の補強材２７ｂは、一方の補強材２７ａと同様に室外側を開口した断面略コ字形状をなし、コ字の対向する内面に第３遮炎材９９ｃが設けてあり、他方材本体１９ｂとの間に第４遮炎材９９ｄが設けてある。他方の補強材２７ｂには、外側プレート２９の第１遮炎材９９ａに対向する領域は、第１遮炎材９９ａが膨張したときに受ける受け部５５としてある。
内障子召合せ框５ａ及び外障子召合せ框５ｂにおいて、各々パネル１３の端部と係合する間口３９には、スチール製の間口補強材３７が設けてあり、各間口補強材３７は、対応する補強材２７ａ、２７ｂにねじ３５で連結してある。間口補強材３７とパネル１３との間には、第５遮炎材９９ｅが配置してある。他方のカバー材２１ｂの室内側面には、気密材４１が設けてあり、一方のカバー材２１ａ及び他方のカバー材２１ｂには、互いに対向する煙返し４３が形成してある。
【００１７】
図２に示すように、内障子３ａと外障子３ｂの各戸先框７には、框中空部４５が形成してあり、框中空部４５には、框補強材４７が設けてある。框補強材４７の外周側面には、第６遮炎材９９ｆが配置してある。なお、召合せ框５ａ、５ｂと同様に、戸先框７にもパネル１３の間口３９が形成されており、間口３９には間口補強材３７が配置してあり、間口補強材３７とパネル１３との間には第５遮炎材９９ｅが配置してある。戸先框７の間口補強材３７は、ねじ３５で框補強材４７に連結してある。戸先框７は、竪枠１０５側を開口した断面略コ字形状の係合溝４９が形成してあり、係合溝４９の内側には、竪枠１０５側を開口した断面略コ字形状の係合溝補強材５１が設けてある。係合溝補強材５１は、スチール製であり、内側に第７遮炎材９９ｇが設けてある。
図３に示すように、内障子３ａと外障子３ｂの各上框９及び下框１１は、戸先框７と同様に、框中空部４５に設けた断面略矩形を成す框補強材４７が設けてあり、框補強材４７の外周面の四周には第６遮炎材９９ｆが設けてある。なお、上框９に設けた上レール１０７ａとの係合溝４９及び係合溝補強材５１は、上枠１０１側を開口した断面略コ字形状をしている。また、下框１１に設けた下レール１０７ｂとの係合溝４９及び係合溝補強材５１は、下枠１０３側を開口した断面略コ字形状をしている。
【００１８】
内障子３ａ及び外障子３ｂに対応する各上レール１０７ａ及び各下レール１０７ｂは、その中空部に設けた突出部補強材１０９に第８遮炎材９９ｈが設けてある。なお、室内側と室外側に設けた上レール１０７ａ及び下レール１０７ｂのうち、室内側の上レール１０７ａ及び下レール１０７ｂに設けた突出部補強材１０９は、枠２の中空部に設けてある枠補強材１１３に連結してある。
図２に示すように、左右の各竪枠１０５には、上枠１０１と同様に、各々内周側に突出して対応する戸先框の係合溝４９に係合する中空状の係合突出部１０７が形成してある。各係合突出部１０７の中空部には、スチール製の突出部補強材１０９が設けてある。突出部補強材１０９は、ねじ１１１で竪枠１０５の中空部に設けた枠補強材１１３に連結している。
枠補強材１１３は、ねじ１１５でスチール製の躯体側補強材１１７に連結してある。躯体側補強材１１７は、ねじ１１９で躯体１２１に固定してある。突出部補強材１０９は、断面略コ字形状をなし、コ字の対向する内面に第８遮炎材９９ｈが設けてある。枠補強材１１３は、枠内周側の面に第９遮炎材９９ｉが設けてある。
図５に示すように、枠２の四周に設けた躯体側補強材１１７は、上枠１０１、下枠１０３、右竪枠１０５ａ、左竪枠１０５ｂの各２箇所に間隔をあけて設けてある。
第１遮炎材９９ａ乃至第１０遮炎材９９ｊは、火災の熱を受けて膨張するものであり、例えば、約１６０℃〜２００℃で発泡を開始する。
【００１９】
次に本実施の形態に係る建具１の作用効果について説明する。尚、以下の説明で、戸先側は内障子３の戸先側であり、戸尻側は内障子３の戸尻側である。
図４に示すように、火災時に樹脂材製の気密材４１や煙返し４３が溶融して焼け落ちると、一方材１５と他方材１７との間に気流通路５３が形成される。このとき、一方の補強材２７ａに連結された遮炎材付き外側プレート２９及び遮炎材付き内側プレート３１が残る。さらに、連結手段３３で一方の補強材２７ａに遊嵌された外側プレート２９及び内側プレート３１が、種々の状態に傾く。この傾きにより、外側プレート２９の戸先側端２９ａ又は戸尻側端２９ｂのどちらかが、他方材１７側の受け部５５に近づく。また、内側プレート３１においても、内側プレート３１の戸先側端３１ａ又は戸尻側端３１ｂのどちらかが、受け部５５に近づく。なお、受け部５５は第１遮炎材９９ａに対向する領域であり、他方材１７の樹脂部分が溶け残っている場合はこの樹脂部分が受け部５５として機能し、他方の補強材２７ｂや間口補強材３７が第１遮炎材９９ａに対して露出している場合はこの補強材部分が受け部５５として機能する。
気流通路５３や、受け部５５、外側プレート２９、内側プレート３１等は、火災の状況等によって種々の配置や傾きをとり得るが、その代表例として、図４(ａ)〜（ｄ）に基づいて説明する。尚、図４では、第１遮炎材９９ａ及び第２遮炎材９９ｂ以外の遮炎材は省略して示している。
【００２０】
図４（ａ）に示す例では、外側プレート２９の戸尻側端２９ｂが戸先側端２９ａよりも受け部５５の近くに位置している。また、内側プレート３１はその戸先側端３１ａが戸尻側端３１ｂよりも受け部５５の近くに位置するように傾いている。この場合、外側プレート２９の戸尻側端２９ｂにおいて外側プレート２９と受け部５５との隙間が狭くなっているため、第１遮炎材９９ａは、火災時の熱を受けて膨張し、外側プレート２９と受け部５５との隙間を効率的に塞ぐことができる。また、内側プレート３１の戸先側端３１ａにおいて内側プレート３１と外側プレート２９との隙間が狭くなっているため、第２遮炎材９９ｂは、火災時の熱を受けて膨張し、内側プレート３１と外側プレート２９との隙間を効率的に塞ぐことができる。この結果、気流通路５３は、第１遮炎材９９ａ及び第２遮炎材９９ｂによって素早く塞ぐことができる。
図４（ｂ）では、外側プレート２９の戸尻側端２９ｂが戸先側端２９ａよりも受け部５５の近くに位置している。また、内側プレート３１の戸尻側端３１ｂが内側プレート３１の戸先側端３１ａよりも受け部５５の近くに位置している。この場合にも、図４（ａ）の場合と同様に、第１遮炎材９９ａは、外側プレート２９と受け部５５との隙間を効率的に塞ぐことができる。また、内側プレート３１の戸尻側端３１ｂにおいて内側プレート３１と外側プレート２９との隙間が狭くなっているため、第２遮炎材９９ｂは、火災時の熱によって膨張し、内側プレート３１と外側プレート２９との隙間を効率的に塞ぐことができる。この結果、気流通路５３は、第１遮炎材９９ａ及び第２遮炎材９９ｂによって素早く塞がれる。
図４（ｃ）では、外側プレート２９の戸先側端２９ａが戸尻側端２９ｂよりも受け部５５の近くに位置している。また、内側プレート３１の戸先側端３１ａが内側プレート３１の戸尻側端３１ｂよりも受け部５５の近くに位置している。このとき、外側プレート２９の戸先側端２９ａにおいて外側プレート２９と受け部５５との隙間が狭くなっているため、第１遮炎材９９ａは、火災時の熱によって膨張し、外側プレート２９と受け部５５との隙間を効率的に塞ぐことができる。また、（ａ）の場合と同様に、第２遮炎材９９ｂは、内側プレート３１と外側プレート２９との隙間を効率的に塞ぐことができる。この結果、気流通路５３は、第１遮炎材９９ａ及び第２遮炎材９９ｂによって素早く塞ぐことができる。
図４（ｄ）では、外側プレート２９の戸尻側端２９ｂが戸先側端２９ａよりも受け部５５の近くに位置している。また、内側プレート３１の戸尻側端３１ｂが戸先側端３１ａよりも受け部５５の近くに位置している。このとき、図４（ｃ）の場合と同様に、第１遮炎材９９ａは、外側プレート２９と受け部５５との隙間を効率的に塞ぐことができる。また、図４（ｂ）の場合と同様に、第２遮炎材９９ｂは、内側プレート３１と外側プレート２９との隙間を効率的に塞ぐことができる。この結果、気流通路５３は、第１遮炎材９９ａ及び第２遮炎材９９ｂによって素早く塞がれる。
【００２１】
以上の様に、外側プレート２９及び内側プレート３１は種々の形態で傾くことで、各遮炎材付きプレート２９、３１の一端側が遮炎材の受け部５５に近づいて受け部５５との間の隙間を小さくできるので、第１遮炎材９９ａ及び第２遮炎材９９ｂが気流通路５３を素早く塞ぐことができるため、火災時に気流通路５３を介して外気が室内に入り込んだり、室内の炎が室外に噴出したりすることによる延焼を効率的に防止することができる。
また、第２遮炎材９９ｂ付き内側プレート３１を中空部２５ａ内に配置することで、樹脂材製の一方材１５が焼け落ちたときに、気流通路５３の隙間に第１遮炎材９９ａ付き外側プレート２９との２つのプレートを配置して、受け部５５の近くにある第１遮炎材９９ａと、受け部５５から離れた第２遮炎材９９ｂの２つの遮炎材で塞ぐことができるので、気流通路５３を効率的に塞ぐことができる。
【００２２】
図１に示すように、更に、各召合せ框５ａ、５ｂの一方の補強材２７ａ及び他方の補強材２７ｂの断面コ字形状の対向する内面に設けた第３遮炎材９９ｃは、火災時の熱によって膨張し、一方材１５の本体中空部２３ａ及び他方材１７の本体中空部２３ｂを塞ぎ、一方材１５の中空部２３ａ及び他方材１７の中空部２３ｂを通って外気が室内へ流入したり、室内の炎が室外に噴出したりすることによる延焼を防止することができる。一方の補強材２７ａと一方材１５との間に設けた第４遮炎材９９ｄは、火災時の熱によって膨張し、一方の補強材２７ａと間口補強材３７との隙間を塞ぎ、この隙間から外気の流入や炎の噴出による延焼を防止することができる。
図１〜３に示すように、各間口補強材３７に設けた第５遮炎材９９ｅは、火災時の熱によって膨張し、各間口補強材３７とパネル１３との隙間を塞ぎ、内障子３ａ及び外障子３ｂからパネル１３が脱落することを防止することができると共に、これらの隙間を介した外気の流入や炎の噴出による延焼を防止することができる。
戸先框７、上框９、及び下框１１の框補強材４７に設けた第６遮炎材９９ｆは、火災時の熱によって膨張し、各框７、９、１１の框補強材４７と間口補強材３７との隙間、框補強材４７と係合溝補強材５１との隙間や取手を取り付けている金属材との隙間等を塞ぐ。各係合溝補強材５１に設けた第７遮炎材９９ｇは、火災時の熱によって膨張し、係合溝補強材５１と対応する突出部補強材１０９との隙間を塞ぎ、戸先框７、上框９、及び下框１１を通って外気が室内へ流入したり、室内の炎が室外に噴出したりすることによる延焼を防止することができる。
枠２の各枠補強材１１３に設けた第９遮炎材９９ｉは、火災時の熱によって膨張し、枠補強材１１３と突出部補強材１０９との隙間を塞ぐことができる。
図２、３及び４に示すように、躯体側補強材１１７は躯体１２１に固定してあり、枠補強材１１３及び突出部補強材１０９と連結しているため、これらの枠補強材１１３を躯体１２１に保持することができる。
【００２３】
以下に、本発明の他の実施の形態を説明するが、以下に説明する実施の形態では、前述した第１実施の形態と同一の作用効果を奏する部分には同一の符号を付することによりその部分の説明を省略し、以下の説明では、第１実施の形態と主に異なる点を説明する。
図６を参照して、本発明の第２実施の形態について説明する。
第２実施の形態は、一方材１５及び他方材１７には、各々上述した第１実施の形態におけるカバー材２１ａ、２１ｂが一体に形成されていることが、第１実施の形態と相違している。一方材１５において、本体中空部２３ａは、一方の補強材２７ａと一方材１５とで囲まれた領域で規定している。
このような第２実施の形態によれば、第１実施の形態と同様の作用効果を奏することができる。また、第２実施の形態では、一方のカバー材２１ａ及び他方のカバー材２１ｂを設けていないので、各召合せ框５ａ、５ｂの部品点数を削減することにより、製造コストを低減することができる。
【００２４】
次に、図７を参照して、第３実施の形態について説明する。
第３実施の形態では、建具１はアルミ樹脂複合サッシであり、一方材１５は、アルミ材製の一方材本体１９ａと樹脂材製の一方材カバー材２１ａで構成してあり、他方材１７がアルミ材製の本体のみとしてあることが第１実施の形態と相違している。また、一方材１５及び他方材１７には、対応する補強材２７ａ及び２７ｂがなく、外側プレート２９及び内側プレート３１は連結手段３３で一方材１５に連結してある。
この第３実施の形態では、アルミ材製の一方材１５が火災時に残存するので、火災時に外側プレート２９及び内側プレート３１を保持することができる。
したがって、この第３実施の形態によれば、第１実施の形態と同様の作用効果を得られる。
【００２５】
本発明は、上述した実施の形態に限らず、本発明の要旨を逸脱しない範囲で種々変形可能である。
例えば、第１乃至第２実施の形態において、各補強材２７ａはスチール材に限らず、アルミニウム等の他の金属材やカーボン材であっても良く、各框や枠１００を構成する樹脂材よりも融点が高いものであれば良い。
第１及び第２実施の形態において、連結手段３３は、ねじに限らず、外側プレート２９と内側プレート３１を挿通して一方の補強材２７ａに取り付ける軸材であっても良く、同様に第３実施の形態においても連結手段３３は、外側プレート２９と内側プレート３１を挿通して一方材１５に取り付ける軸材であっても良い。
第３実施の形態において、他方材１７はアルミ材としたが、これに限らず、他方材１７を一方材１５と同様に、アルミ材に樹脂材製のカバー材を設けたアルミ樹脂複合材としても良い。
また、建具１は、引き違いサッシに限らず、引戸であっても良い。更に、建具１は、一方材１５と他方材１７とが向き合っているものであれば良く、例えば、一方材１５がＦＩＸ障子の枠で他方材１７が方立であっても良い。
請求項３に記載の発明では、第１及び第２実施の形態において、第１遮炎材９９ａ付き外側プレート２９と第２遮炎材９９ｂ付き内側プレートとのうち少なくとも一方の遮炎材付きプレートを有していれば良く、この場合には、受け部５５から近い位置にある第１遮炎材９９ａ付き外側プレート２９とそれよりも離れた位置にある第２遮炎材９９ｂ付き内側プレート３１との２つのプレートを配置することで気流通路５３を効率的に塞ぐことができるという効果を除いて、第１及び第２実施の形態と同様の作用効果を奏することができる。
請求項４に記載の発明では、第３実施の形態において、第１遮炎材９９ａ付き外側プレート２９と第２遮炎材９９ｂ付き内側プレートとのうち少なくとも一方の遮炎材付きプレートを有していれば良く、この場合には、受け部５５から近い位置にある第１遮炎材９９ａ付き外側プレート２９とそれよりも離れた位置にある第２遮炎材９９ｂ付き内側プレート３１との２つのプレートを配置することで気流通路５３を効率的に塞ぐことができるという効果を除いて、第３実施の形態と同様の作用効果を奏することができる。
【符号の説明】
【００２６】
１      建具
５ａ    内障子召合せ框（框）
１５    一方材
１７    他方材
２５ａ  カバー材中空部（中空部）
２７ａ  一方の補強材
９９ａ  第１遮炎材
２９    外側プレート（プレート）
９９ｂ  第２遮炎材
３１    内側プレート（プレート）
３３    連結手段
５５    受け部
【図１】
0006442354.tif 000002
【図２】
0006442354.tif 000003
【図３】
0006442354.tif 000004
【図４】
0006442354.tif 000005
【図５】
0006442354.tif 000006
【図６】
0006442354.tif 000007
【図７】
0006442354.tif 000008